(57)【特許請求の範囲】
【請求項１】
被験者の頭部に取り付けられ当該被験者の脳電位を測定する複数個のセンサを備えており、
各センサから出力された脳電位を時間軸上で所定時間幅のセグメントに分割し、各セグメント毎に離散フーリエ変換を行い、所定周波数帯域内で前記所定時間幅の逆数である基本周波数の整数倍の周波数成分を持つ離散フーリエ係数を求め、全セグメントに亘って前記フーリエ係数の絶対値の二乗の平均値を求め、当該求めたフーリエ係数の絶対値の二乗の平均値で規格化し、第１のパラメータである規格化パワースペクトルを求め、隣接する周波数成分の前記フーリエ係数の絶対値の二乗の全セグメントに亘っての平均値の積を当該両周波数成分の平均値の和の二乗値で規格化し第２のパラメ−タである規格化パワー比を求める演算手段を有し、
前記第１のパラメータ及び第２のパラメータを用いて脳機能活動度を評価することを特徴とする被験者の脳機能活動度評価装置。
【請求項２】
請求項１において、前記演算手段は、前記第１のパラメータである規格化パワースペクトル及び第２のパラメータである規格化パワー比のそれぞれに対し、前記各周波数成分から当該周波数成分の全てのセンサに亘る平均値を差し引いた第１のマーカと第２のマーカを得ることを特徴とする被験者の脳機能活動度評価装置。
【請求項３】
請求項２において、前記演算手段は、
被験者についての前記第１のマーカの値と、予め所定の正常者集団について同様に求めた前記第１のマーカの平均値及び標準偏差とからｓＺスコアを算出し、
さらに、被験者についての前記第２のマーカの値と、予め所定の正常者集団について同様に求めた前記第２のマーカの平均値及び標準偏差とからｖＺスコアを算出し、
脳表面画像上で対応する位置に前記ｓＺスコア及びｖＺスコアから脳の活動状態を可視化表示することを特徴とする被験者の脳機能活動度評価装置。
【請求項４】
請求項１から３のいずれかにおいて、前記所定周波数帯域は4〜20Hzであることを特徴とする被験者の脳機能活動度評価装置。
【請求項５】
少なくとも、被験者の頭部に取り付けられ当該被験者の脳電位を測定する複数個のセンサと、各センサから出力された脳電位を外部へ送信するインタフェースと、演算部を備えた脳機能活動計測端末と、前記脳機能活動計測端末と通信回線を介して接続される計算センターとを有する脳機能活動度評価システムであって、
前記計算センターは、
前記脳機能活動計測端末からの前記各センサから出力された脳電位を時間軸上で所定時間幅のセグメントに分割し、各セグメント毎に離散フーリエ変換を行い、所定周波数帯域内で前記所定時間幅の逆数である基本周波数の整数倍の周波数成分を持つフーリエ係数を求め、全セグメントに亘って前記フーリエ係数の絶対値の二乗の平均値を求め、これらを当該求めたフーリエ係数の絶対値の二乗の平均値で規格化し第１のマーカである規格化パワースペクトルを求め、隣接する離散化周波数成分の前記フーリエ係数の絶対値の二乗の平均値の積を当該両周波数成分の平均値の和の二乗値で規格化し、第２のマーカである規格化パワー比を求める演算手段を有し、
前記求めた第１のマーカ及び第２のマーカを前記脳機能活動計測端末へ送信することを特徴とする被験者の脳機能活動度評価システム。
【請求項６】
請求項５において、前記計算センターの前記演算手段は、
前記第１パラメータである規格化パワースペクトル及び第２パラメータである規格化パワー比のそれぞれに対し、前記各周波数成分の全てのセンサに亘る平均値を差し引いた第１のマーカと第２のマーカを得ることを特徴とする被験者の脳機能活動度評価システム。
【請求項７】
請求項６において、前記計算センターの前記演算手段は、
被験者についての前記第１のマーカと、予め所定の正常者集団について同様に求めた前記第１のマーカの平均値であるテンプレート及び標準偏差とからｓＺスコアを算出し、
さらに、被験者についての前記第２のマーカと、予め所定の正常者集団についての前記第２のマーカの平均値であるテンプレート及び標準偏差とからｖＺスコアを算出し、
前記脳機能活動計測端末は、前記算出されたｓＺスコア及びｖＺスコアを前記通信回線を介して受信し、脳表面画像上で対応する位置に前記ｓＺスコア及びｖＺスコアから被験者の脳の活動状態を可視化表示する装置を有することを特徴とする脳機能活動度評価システム。
【請求項８】
請求項７において、前記演算手段は、
前記算出されたｓＺスコア及びｖＺスコアから、被験者と正常者集団のテンプレートとの類似度を算出し、これにより得られた類似度から被験者が正常者集団のテンプレートとＡＤ患者集団のテンプレートとのいずれにより類似するかを表す差分類似度を算出し、被験者の脳の活動状態を可視化表示することを特徴とする被験者の脳機能活動度評価システム。
【請求項９】
被験者の頭部に取り付けられ当該被験者の脳電位を測定する複数個のセンサから出力された脳電位を時間軸上で所定時間幅のセグメントに分割し、各セグメント毎に離散フーリエ変換し、所定周波数帯域内で前記所定時間幅の逆数である基本周波数の整数倍の周波数成分を持つ離散フーリエ係数を求め、全セグメントに亘って前記フーリエ係数の絶対値の二乗の平均値を求め、当該求めた離散フーリエ係数の絶対値の二乗の平均値で規格化し第１パラメータである規格化パワースペクトルを求め、隣接する周波数成分の前記離散フーリエ係数の絶対値の二乗の平均値の積を当該両周波数成分の平均値の和の二乗値で規格化し第２パラメータである規格化パワー比を求め、前記第１パラメータである規格化パワースペクトル及び第２パラメータである規格化パワー比のそれぞれに対し、前記各周波数成分から当該周波数成分値の全てのセンサに亘る平均値の差分を求め、オフセット量を除去した第１マーカと第２マーカを得る手順をコンピュータに実行させるためのプログラム。
【請求項１０】
請求項９に記載のプログラムを記録したことを特徴とするコンピュータ読み取り可能な記録媒体。
【発明の詳細な説明】
【技術分野】
【０００１】
本発明は、脳機能活動度を測定して脳機能活動度を評価する装置及びそれを用いた評価システムに関し、特に、老人性認知障害等の脳疾患を判定するために脳機能活動状態を評価する装置及びそれを用いたシステムに関するものである。
【背景技術】
【０００２】
認知症の中でも、高齢化につれて増加するアルツハイマー型認知症（以下、ＡＤ）は原因が明らかでなく、治療法が確立していない一方、患者は増加している。したがって、日本のみならず世界各国で、その対策としての医療費と介護費の増大が国家予算に占める比率を徐々に増大させており、社会的に深刻な問題になってきている。この予防法としては早期発見と、脳機能を活性化するリハビリに頼らざるを得ない。例えば、日本では65歳以上の高齢者人口が3000万人に達している。そこで認知症を患っているか否かの診断法が益々重要となってきており、これらを対象にした予防診断のために、次の７条件を満たす新規な診断法の開発が期待されている。
Ａ）低価格であること、
Ｂ）血液・脊髄液等の体液を採取しない非侵襲的であること、
Ｃ）放射線被曝を伴わないこと、
Ｄ）高感度を持つこと、
Ｅ）信頼度が高いこと、
Ｆ）認知症の専門医でなくても診断ができる程度の情報を提示する機能を持つこと、
Ｇ）操作するのに高度な技術を必要としないこと。【０００３】
そのためには、これらの条件を満たす脳機能活動を測定する装置が必要となるが、頭皮上電位解析による脳機能活動測定装置としては、何れも本願発明者によるものであるが、特許文献１および特許文献２がある。これらの発明では、頭皮上電位（以下、脳電位と称する）を複数のセンサで記録し、2〜40ヘルツの脳電位成分を周波数ブロックにわけ、それぞれについて規格化パワーバリアンス(normalized power variance,以下ＮＰＶ）を求めて、それらの変量の集合をマーカとして脳内のニューロンおよびグリア細胞等の活動（これらを総称して脳機能活動と称することにする）を特徴づけ、正常者集団の平均値と比較して活動状態の異常部位を求め、それぞれの疾患の特徴を表すテンプレートと、新たに測定した被験者のＮＰＶとの比較から各種脳機能疾患との類似性を定量化している。
【先行技術文献】
【特許文献】
【０００４】
【特許文献１】日本国特許第4145344号
【特許文献２】日本国特許第5118230号
【発明の概要】
【発明が解決しようとする課題】
【０００５】
しかしながら上記従来技術では以下の点が不十分である。これらは大規模な臨床テストの結果、初めて得られた知見に基づく。
Ａ）脳電位の規格化パワーバリアンスＮＰＶという量は、脳機能活動を特徴づけるのに十分な情報を提供していないので、異なる疾患、例えば、「アルツハイマー型認知症」と「うつ病」との識別度が十分でないこと、
Ｂ）このマーカは不要なオフセットを持ち、これが感度を低下させるので、このようなオフセットを持たないマーカを導入する必要があること、
Ｃ）マーカで指定される状態を多次元空間のベクトルで表し、状態間の類似度をこれらのベクトルのなす角度の余弦または内積で表すが、これらの変量は類似度としての適性が十分でなく、またその意味が明確でないこと、
Ｄ）記録した電位信号にはアーティファクトが含まれており、これも疾病間の分離感度を低下させる要因となっていたため、解析対象となる周波数帯域およびセグメント長を決める根拠を持たなかったこと。【０００６】
本発明の目的は、異なる疾患を高精度に識別し、それを表示可能な脳機能活動度評価装置および脳機能活動度評価システムを提供することにある。
【課題を解決するための手段】
【０００７】
以下の本願明細書中の説明においては、各種の値を示す記号に、ＮＰＶ;j,m或いはｓＮＡＴ;NLc,jm等として“;”の後に半角添字が付されて記載しているものがあるが、この添字が上付きか、下付きかについては、対応する数式或いは図を参照願いたい。また、本願明細書中においては、「脳機能活動」とは、脳機能による脳の活動をいい、「脳機能活動度」とは脳機能活動の度合いをいう。【０００８】
上記課題を解決するために、本発明の脳機能活動度評価装置は、被験者の頭部に取り付けられ当該被験者の脳電位を測定する複数個のセンサを備えており、各センサから出力された脳電位を時間軸上で所定時間幅のセグメントに分割し、各セグメント毎に離散フーリエ変換を行い、所定周波数帯域内で前記所定時間幅の逆数である基本周波数の整数倍の周波数成分を持つ離散フーリエ係数を求め、全セグメントに亘って前記フーリエ係数の絶対値の二乗の平均値を求め、当該求めたフーリエ係数の絶対値の二乗の平均値を規格化し、第１のパラメータである規格化パワースペクトル（ＮＰＳ;j,m）を求め、隣接する周波数成分の前記フーリエ係数の絶対値の二乗の全セグメントに亘っての平均値の積を当該両周波数成分の平均値の和の二乗値で規格化し第２のパラメータである規格化パワー比（ＮＰＶ;j,m）を求める演算手段を有し、前記第１のパラメータ及び第２のパラメータを用いて脳機能活動度を評価することを特徴とする。【０００９】
さらに、本発明の脳機能活動度評価装置の実施形態としては、前記演算手段が、前記第１のパラメータである規格化パワースペクトル（ＮＰＳ;j,m）及び第２のパラメータである規格化パワー比（ＮＰＶ;j,m）のそれぞれに対し、前記各周波数成分の全てのセンサに亘る平均値を差し引いた第１のマーカｓＮＡＴ;j,m及び第２のマーカｖＮＡＴ;j,mを得ることを特徴とする。ここで各マーカは、センサの数および離散周波数の数から決まるサブマーカを表現する多次元のｓＮＡＴ空間およびｖＮＡＴ空間内の位置によって特徴づけられる。【００１０】
本発明の脳機能活動度評価装置の他の実施形態としては、前記演算手段が、被験者xに関する前記第１のマーカ（ｓＮＡＴ;x,jm）と、予め所定の正常者集団について同様に求めた第１のマーカの平均値である正常者コントロールのテンプレート状態（ｓＮＡＴ;NLc,jm）及び標準偏差（ｓσ;NLc,jm）とからｓＺスコア（ｓＺ;j,m;x:NLc）を算出し、さらに第２のマーカによって決まる被験者ｘの状態（ｖＮＡＴ;x,jm）と、予め所定の正常者集団について同様に求めた第２のマーカの平均値から決まるテンプレート状態（ｖＮＡＴ;NLc,jm）及び標準偏差（ｖσ;NLc,jm）とからｖＺスコア（ｖＺ;j,m;x:NLc）を算出し、脳表面画像上で対応する位置に前記ｓＺスコア（ｓＺ;j,m;x:NLc）及び前記ｖＺスコア（ｖＺ;j,m;x:NLc）の値から脳の活動状態を可視化表示することを特徴とする。また各種の脳疾患を特徴づけるテンプレート状態（例えば、ＡＤ患者の多数集団の平均状態）と被験者の状態との間の規格化距離（例えばマハラノビス距離）の関数として、該被験者の該疾患に対する類似度を決める。この規格化距離の近さで類似度を表すことによって、類似度の意味づけが明確になり、異なる疾病間の分離が表示出来るようになった。【００１１】
また、本発明の他の実施形態としての脳機能活動度評価システムは、少なくとも、被験者の頭部に取り付けられ当該被験者の脳電位を測定する複数個のセンサと、各センサから出力された脳電位を外部へ送信するインタフェースと、演算部を備えた脳機能活動計測端末と、前記脳機能活動計測端末と通信回線を介して接続される計算センターとを有する脳機能活動度評価システムであって、前記計算センターは、
（１）前記脳機能活動計測端末からの前記各センサから出力された脳電位を時間軸上で所定時間幅のセグメントに分割し、各セグメント毎に離散フーリエ変換を行い、所定周波数帯域内で前記所定時間幅の逆数である基本周波数の整数倍の周波数成分を持つフーリエ係数を求め、全セグメントに亘って前記フーリエ係数の絶対値の二乗の平均値を求め、当該求めたフーリエ係数の絶対値の二乗の平均値を規格化し第１のパラメータである規格化パワースペクトル（ＮＰＳ;j,m）を求め、隣接する離散化周波数成分の前記フーリエ係数の絶対値の二乗の平均値の積を当該両周波数成分の平均値の和の二乗値で規格化し、第２のパラメータである規格化パワー比（ＮＰＶ;j,m）を求める演算手段を有し、
（２）前記求めた第１のパラメータ（ＮＰＳ;j,m）及び第２のパラメータ（ＮＰＶ;j,m）を前記脳機能活動計測端末へ送信することを特徴とする。【００１２】
さらに、本発明の他の実施形態としての脳機能活動度評価システムでは、前記計算センターの前記演算手段は、前記第１のパラメータである規格化パワースペクトル及び第２のパラメータである規格化パワー比のそれぞれに対し、前記各周波数成分の全てのセンサに亘る平均値を差し引いた第１のマーカと第２のマーカを得ることを特徴とする。【００１３】
さらに、本発明の他の実施形態としての脳機能活動度評価システムでは、前記計算センターの前記演算手段は、被験者についての前記第１のマーカの値と、予め所定の正常者集団について同様に求めた前記第１のマーカの平均値としてのテンプレート状態及び標準偏差とからｓＺスコアを算出し、さらに、被験者についての前記第２のマーカの値と、予め所定の正常者集団についての前記第２のマーカの平均値としてのテンプレート状態及び標準偏差とからｖＺスコアを算出し、前記脳機能活動計測端末は、前記算出されたｓＺスコア及びｖＺスコアを前記通信回線を介して受信し、脳表面画像上で対応する位置に前記ｓＺスコア及びｖＺスコアから脳機能活動度を可視化表示する装置を有することを特徴とする。【００１４】
さらに、本発明の他の実施形態としての脳機能活動度評価システムでは、前記計算センターの前記演算手段は、前記算出されたｓＺスコア及びｖＺスコアから被験者と正常者集団のテンプレート状態との類似度を算出し、これにより得られた類似度から被験者が正常者集団のテンプレート状態とＡＤ患者集団のテンプレート状態とのいずれにより類似するかを表す差分類似度を算出し、被験者の脳機能活動状態を可視化表示することを特徴とする。【００１５】
また、本発明の他の実施形態であるプログラムは、被験者の頭部に取り付けられ当該被験者の脳電位を測定する複数個のセンサから出力された脳電位を時間軸上で所定時間幅のセグメントに分割し、各セグメント毎に離散フーリエ変換し、所定周波数帯域内で前記所定時間幅の逆数である基本周波数の整数倍の周波数成分を持つ離散フーリエ係数を求め、全セグメントに亘って前記フーリエ係数の絶対値の二乗の平均値を求め、当該求めた離散フーリエ係数の絶対値の二乗の平均値を規格化し第１のマーカである規格化パワースペクトル（ＮＰＳ;j,m）を求め、隣接する周波数成分の前記離散フーリエ係数の絶対値の二乗の平均値の積を当該両周波数成分の平均値の和の二乗値で規格化し第２のマーカである規格化パワー比（ＮＰＶ;j,m）を求め、前記第１のパラメータである規格化パワースペクトル及び第２のパラメータである規格化パワー比のそれぞれに対し、前記各周波数成分から当該周波数成分値の全てのセンサに亘る平均値からの差分を求め、これらのオフセット量を除去した第１のマーカ（ｓＮＡＴ;j,m）と第２のマーカ（ｖＮＡＴ;j,m）を得る手順をコンピュータに実行させるためのプログラムであることを特徴とする。
【発明の効果】
【００１６】
本発明においては、脳電位のパワースペクトルを所与の周波数帯域内でのパワースペクトルの平均値で規格化した規格化パワースペクトルＮＰＳを求め、記録脳電位信号をセグメントに分割して、セグメント長の逆数を基本周波数とし、その正の整数倍の周波数に対するパワー分配を第１のパラメータの素材にする。第２のパラメータとしては、離散化したパワースペクトル成分比を、両成分の平均パワーで規格化した規格化パワー比ＮＰＶを用いる。これらのパラメータＮＰＳ及びＮＰＶは、周波数軸上で規格されているが、それぞれについての各周波数成分から当該周波数成分値の全チャンネルに亘る平均値を差し引いてゼロレベルのリセットを行う。このようにして得られた２種のマーカをｓＮＡＴ及びｖＮＡＴとする。【００１７】
これら２つのマーカのＺスコアの周波数ｍについての平均値＜ｓＺ;j,m;x:NLc＞mおよび＜ｖＺ;j,m;x:NLc＞mが、正または負である状態をｓＮＡＴ及びｖＮＡＴについて該当する脳機能活動がhyperactive及びunder-synchronous状態と称し、より小である状態をhypo-active及びover-synchronous状態と称する。その結果として脳機能活動状態を４つの組み合わせ、hyperactiveでover-synchronous、hyperactiveでunder-synchronous、hypoactiveでover-synchronous、及びhypoactiveでunder-synchronous状態に分類でき、脳機能活動をより詳細に特徴づけることができるようになった。【００１８】
それにより、ある疾病、例えばＡＤ患者の多数集団の平均としてのテンプレートＡＤ状態と被験者状態の距離をテンプレートＡＤ状態の標準偏差で除した規格化距離で表し、その距離の近さからこれらの類似度を表すことによって、類似度の意味づけが明確になり、疾病間の分離が出来るようになった。【００１９】
本発明によれば、新たに導入した２つのマーカにより脳機能活動の異常部位をより詳細に脳表面に表示できると共に、各種脳疾患を早期に検出し、各種の脳疾患を特徴づけるテンプレート状態に対する類似度を定量化し、異なる脳疾患を高精度に識別し、また正常コントロール状態から識別し、それらの状態を標準脳表面に画像化して表示できるので、脳疾患診断を安価・非侵襲・高感度・高信頼度で実現できる。そのために中小の医療機関に普及することが期待される。
【図面の簡単な説明】
【００２０】
【図１】本発明の一実施例である脳機能活動度評価装置の構成を示すブロック図である。
【図２】本発明の脳機能活動度評価装置の処理を説明するフローチャートである。
【図３】差分類似度に対する感度・特異度曲線図である。
【図４Ａ】状態分離の優位性を示すt検定におけるｔ値を表す図であり、ｓＮＡＴ;j,mの場合を示している。
【図４Ｂ】状態分離の優位性を示すt検定におけるｔ値を表す図であり、ｖＮＡＴ;j,mの場合を示している。
【図５】一組の差分類似度による類似度グラフである。
【図６Ａ】NAT画像の表示例であり、ｖＺ;j;x:ADを標準脳表面の対応位置に割り付けて表示している。
【図６Ｂ】NAT画像の表示例であり、ｓＺ;j;x:ADを標準脳表面の対応位置に割り付けて表示している。
【図６Ｃ】ＳＰＥＣＴ画像の表示例である。
【図７】本発明の他の実施例である脳機能活動度評価システムのブロック図である。
【図８】本発明の脳機能活動度評価システムの処理を説明するフローチャートである。
【発明を実施するための形態】
【００２１】
以下、実施例を図面を用いて説明する。
【実施例１】
【００２２】
（１）脳機能活動度評価装置のハードウェア構成
図１は、本発明の一実施例である脳機能活動度評価装置の構成を示すブロック図である。本発明の一実施例としての脳機能活動度評価装置は、脳電位センサ又は脳磁センサ（電極とも称するが、以下、センサで総称することがある。）２と、センサ２で測定された脳電位を増幅する増幅器３と、マルチプレクサ４と、アナログ／ディジタル変換器（Ａ／Ｄ変換器）５と、コンピュータ１０と、キーボード等の入力装置２４と、プログラム等を格納した外部記憶装置２５と、ＣＲＴ等の表示装置３１と、プリンタ３２を有する。そしてコンピュータ１０は、ディジタル化された測定脳電位データを入力するインタフェース（Ｉ／Ｆ）１５と、ＣＰＵ１１、ＲＯＭ１３、ＲＡＭ１４、及び出力インタフェース（Ｉ／Ｆ）１６と、これらを接続するバス１２から構成される。【００２３】
上記ＲＯＭ１３は読取専用の記憶媒体であり、ＲＡＭ１４は、キーボード等の入力装置２４及びＡ／Ｄ変換器５からの脳電位データを演算時に記憶するメモリである。ＣＰＵ１１は、外部記憶装置２５又はＲＯＭ１３からプログラムを読み出し、ＲＡＭ１４に格納されたＡ／Ｄ変換器５からの脳電位データに対し各種の演算を実行する演算部であり、演算結果は出力インタフェース１６を介して表示装置３１（ＣＲＴ）に表示される。また、プリンタ３２は、この表示装置３１に表示されるデータや波形を印字出力する。なお、外部記憶装置２５は用いずに、全てＲＯＭ１３にプログラム等を予め格納しておいてもよい。【００２４】
上記センサ２は、例えば２１個前後の複数の電極からなり、頭部１に装着されて脳機能活動に基づく脳電位を測定するか、或いは、予めこれらの２１個前後の電極を配置したキャップ又はヘルメットを頭部１に装着して脳電位を測定するよう構成しても良い。勿論、キャップ又はヘルメット以外の手法であっても、脳機能活動に基づく脳電位を測定できるものであれば良い。なおこの場合のセンサ２は、国際10-20標準（International  10-20  standard）またはこれに準じて決められた位置に配置するとともに、基準電位として、例えば右耳朶にもセンサ（図示せず）を装着する。センサ２で測定された脳電位は増幅器３及びマルチプレクサ４を介してアナログ／ディジタル変換器（Ａ／Ｄ変換器）５に供給され、ディジタル化された測定脳電位データは入力インタフェース（Ｉ／Ｆ）１５を介してコンピュータ１０に供給されるが、入力インタフェース１５では測定脳電位データをそのまま通過させてもよいし、或いは予め指定した周波数帯域（例えばアルファ波の周波数より広い所定の周波数帯域）を持つ成分のみをディジタル・フィルタリング処理を行ってから出力しても良い。
この脳機能活動度評価装置はスタンドアローンで構成することも可能であり、そのようにスタンドアローンで構成すれば、インターネット環境が得られない離島等の臨床現場にあっても、直ちに医師が診断支援情報を得ることができる。勿論、ネット環境が整うのであれば、外部記憶装置をサーバとしてインターネット経由で繋げば、より適切な診断支援が達成される。【００２５】
（２）脳機能活動度評価装置の演算処理
図２は、本発明の実施例としての脳機能活動度評価装置の処理を説明するフローチャートである。本発明の実施例では、脳機能活動度評価装置の処理を、被験者、正常者集団、ＡＤ患者集団の３つの集団毎に処理を行っている。
先ず、正常者集団のデータベースの作成について説明する（Ｓ１０１ｃからスタート）。既存の認知機能を評価するためのミニ・メンタル・ステート検査(ＭＭＳＥ)法や画像検査によるＭＲＩ（Magnetic  Resonance  Imaging）やＳＰＥＣＴ(Single  Photon  Emission  Computing  Tomography)測定等で予め所定人数の正常者集団を決めておき、一人ずつ２１個（Ｊ個）のセンサ２から脳電位(頭皮上電位)の時系列を測定し記録する（ステップＳ１０２）。この場合、各センサ２の電位信号は５ms毎にサンプリングされ、周波数範囲は、バンドパスフィルタ処理により、特定周波数部分（例えば4〜20Hzの所定周波数）を抽出する。この最適周波帯域4〜20Hzについては後述する。【００２６】
記録されたセンサｊ（電極，ｊ＝１〜２１）の脳電位時系列を時間軸上でセグメント（セグメント長Ｔ）に分割する。各セグメント毎に脳電位を離散フーリエ変換し、各セグメントに関する基本周波数f0（＝１／Ｔ）の整数ｍ倍を持つ周波数成分mf0を持つフーリエ係数Ｘj,mを求める（ステップＳ１０３）。次に、全セグメントに亘ってこのフーリエ係数の絶対値の二乗の平均値<|Ｘj,m|2>segを算出する(ステップＳ１０４)。尚、この平均値<|Ｘj,m|2>segはその周波数成分のパワーと称される。【００２７】
第１のパラメータである規格化パワースペクトルＮＰＳ;j,mを、上記平均値
<|Ｘj,m|2>segで規格化した値を式（１）にて算出する（ステップＳ１０５）。
【数１】
0006017015.tif 000002
【００２８】
規格化パワースペクトルＮＰＳ;j,mは、チャネルｊ及び周波数成分ｍｆ0に対するパワーの平均的分配を表しており、算出されたＮＰＳ;j,mはＲＡＭ１４に記憶される。【００２９】
また、隣接する周波数成分間のパワー比率を特徴付けるため、無次元量として第２のパラメータである規格化パワー比ＮＰＶ;j,mを式（２）にて算出する（ステップＳ１０６）。算出されたＮＰＶ;j,mはＲＡＭ１４に記憶される。
【数２】
0006017015.tif 000003
【００３０】
また、隣接する周波数成分のパワー比p;j,mは次式（３）で表される。
【数３】
0006017015.tif 000004
【００３１】
従って、式（３）を式（２）に代入すると、次式（４）を得る。
【数４】
0006017015.tif 000005
【００３２】
式（４）において、ｐ;j,m＝１で、ＮＰＶ;j,mは最大値１となる。これは、周波数軸上で隣接する周波数成分間のパワー比を表し、脳機能活動によって脳内に送り出される信号強度変調のパワースペクトルの傾斜を表す。すなわちｐ;j,m＝１であれば、平均的なパワー比は１で、脳機能活動はランダムになり信号伝送は行われていない状態である。【００３３】
次にこれらのパラメータのゼロリセット処理をし、ｓＮＡＴ;j,m及びｖＮＡＴ;j,mを算出する（ステップＳ１０７）。具体的には、規格化パワースペクトルＮＰＳ;j,mおよび規格化パワー比ＮＰＶ;j,mのそれぞれの周波数ｍf0についての、チャンネルｊに関する場所的な分布を強調するためには、この空間分布に表れるオフセット値は、場所に関する相対的な変化を弱めるため、このオフセット量を除去する必要がある。オフセット量を除去して得たマーカｓＮＡＴおよびｖＮＡＴを次式（５）（６）によって得る。これにより感度の向上が図られる。
【数５】
0006017015.tif 000006
【数６】
0006017015.tif 000007
【００３４】
上記のステップＳ１０２〜Ｓ１０７を全ての正常者に対して繰り返すことにより、正常者集団についての群平均<ｓＮＡＴ;NLc,jm>、<ｖＮＡＴ;NLc,jm>と、群の内部での標準偏差ｓσ;NLc,jm、ｖσ;NLc,jmを計算し、その結果をデータベースとしてＲＡＭ１４に格納する（ステップＳ１０８ａ）。【００３５】
次にＡＤ患者集団のデータベースの作成について説明する（Ｓ１０１ｂからスタート）。上記正常者集団の場合と同様に、既存の認知機能を評価するためのミニ・メンタル・ステート検査(ＭＭＳＥ)法や画像検査によるＭＲＩ（Magnetic Resonance Imaging）やＳＰＥＣＴ(Single Photon Emission Computing Tomography)測定等で予め所定人数のＡＤ患者集団を決めておき、一人ずつ２１個（Ｊ個）のセンサ２から脳電位(頭皮上電位)の時系列を測定し記録する（ステップＳ１０２）。【００３６】
上記の正常者集団の場合と同様に、ステップＳ１０３〜ステップＳ１０５を実行してＡＤ患者の第1のパラメータである規格化パワースペクトルＮＰＳ;j,mを算出し、ＲＡＭ１４に記憶する。次にステップＳ１０６を実行してＡＤ患者の第２のパラメータである規格化パワー比ＮＰＶ;j,mを算出し、ＲＡＭ１４に記憶する。ステップＳ１０７を実行してＡＤ患者のｓＮＡＴ;j,m及びｖＮＡＴ;j,mを算出する。ステップＳ１０１〜Ｓ１０７を全てのＡＤ患者に対して繰り返すことにより、ＡＤ患者集団についての群平均<ｓＮＡＴ;AD,jm>、<ｖＮＡＴ;AD,jm>と、群の内部での標準偏差ｓσ;AD,jm、ｖσ;AD,jmを計算し、その結果をデータベースとしてＲＡＭ１４に格納する（ステップＳ１０８ｂ）。【００３７】
次に、被験者（x）の測定脳電位に対する処理を説明する（Ｓ１０１ｃからスタート）。上記正常者集団の場合と同様に、被験者（x）にセンサ２を装着し、センサ２から脳電位(頭皮上電位)の時系列を測定し記録する（ステップＳ１０２）。ステップＳ１０３〜ステップＳ１０５を実行して被験者（x）の第1のパラメータである規格化パワースペクトルＮＰＳ;j,mを算出し、ステップＳ１０６を実行して被験者（x）の第２のパラメータである規格化パワー比ＮＰＶ;j,mを算出し、ステップＳ１０７を実行して被験者（x）の脳機能活動状態を特徴づける１組のカーカーであるｓＮＡＴ;x,jm及びｖＮＡＴ;x,jmを算出する。【００３８】
次に、ステップＳ１０９の処理を説明する。
ＲＡＭ１４から正常者集団についての群平均<ｓＮＡＴ;NLc,jm>、<ｖＮＡＴ;NLc,jm>と、群の内部での標準偏差ｓσ;NLc,jm、ｖσ;NLc,jmを読み出し、ステップＳ１０７で得られた被験者（ｘ）のｓＮＡＴ;x,jm及びｖＮＡＴ;x,jmとから次式（７）にてｓＺ;j,m;x:NLcを算出する。
【数７】
0006017015.tif 000008
【００３９】
同様に、次式（８）にてｖＺ;j,m;x:NLcを算出する。
【数８】
0006017015.tif 000009
【００４０】
ここで得られるｓＺ;j,m;x:NLc及びｖＺ;j,m;x:NLcは、被験者（x）の脳機能活動と正常者集団の脳機能活動の標準状態との隔たりを表す量であり、規格化距離またはマハラノビスの距離とも称される。【００４１】
本発明では、それぞれをｓＺスコア、ｖＺスコアと定義する。ｖＺスコアは脳機能活動のコヒーレンシーに関係する指標であり、ｓＺスコアは脳内の脳機能活動のレベルに関係する指標である。【００４２】
ここで、ｖＺ;j,m;x:NLc＞０であれば電極ｊ位置での脳電位発生に寄与している脳機能活動がNLcに比べて、アンダー同期状態（under-synchronous状態）にあり、逆にｖＺ;j,m;x:NLc＜０であればオーバー同期状態（over-synchronous状態）にあり、ｓＺ;j,m;x:NLc＞０であればNLcに比べて脳機能活動レベルが大きいことから過大変動状態（hyperactive状態）であり、ｓＺ;j,m;x:NLc＜０であれば脳機能活動レベルがNLcに比べて小さいことから過小変動状態（hypoactive状態）を示すこととなる。従って、ｓＺスコア、ｖＺスコアを導入することにより、脳機能活動状態を、オーバー同期で過大変動状態、オーバー同期で過小変動状態、アンダー同期で過大変動状態、アンダー同期で過小変動状態の４種類に分類可能となり、脳機能活動をより詳細に特徴付けることができる。【００４３】
また、同様に、ステップＳ１０９では、ＲＡＭ１４からＡＤ患者集団についての群平均<ｓＮＡＴ;AD,jm>、<ｖＮＡＴ;AD,jm>と、群の内部での標準偏差ｓσ;AD,jm、ｖσ;NLc,jmを読み出し、ステップＳ１０７で得られた被験者（ｘ）のｓＮＡＴ;x,jm及びｖＮＡＴ;x,jmとから次式（9）にてｓＺ;j,m;x:ADを算出する。
【数９】
0006017015.tif 000010
【００４４】
同様に、次式（１０）にてｖＺ;j,m;x:ADを算出する。
【数１０】
0006017015.tif 000011
【００４５】
ここで得られるｓＺ;j,m;x:AD及びｖＺ;j,m;x:ADは、被験者（x）の脳機能活動状態とＡＤ患者集団の脳機能活動のテンプレ−ト状態との隔たりを表す量である。【００４６】
次にステップＳ１１０の処理を説明する。
ステップＳ１０９で得られたｓＺ;j,m;x:NLc及びｖＺ;j,m;x:NLcから被験者（x）と正常者集団の標準状態との類似度（Likelihood）であるｓＬ;x,NLcとｖＬ;x,NLcをそれぞれ式（１１）（１２）で算出する。
【数１１】
0006017015.tif 000012
【数１２】
0006017015.tif 000013
【００４７】
また同様に、被験者（ｘ）とＡＤ患者集団の標準状態との類似度（Likelihood）であるｓＬ;x,ADcとｖＬ;x,ADcをそれぞれ式（１３）（１４）で算出する。
【数１３】
0006017015.tif 000014
【数１４】
0006017015.tif 000015
【００４８】
次にステップＳ１１１の処理を説明する。ステップＳ１１０で得られた類似度ｓＬ;x,NLc、ｖＬ;x,NLc、ｓＬ;x,ADcとｖＬ;x,ADcとから次式（１５）（１６）にて、被験者（x）が、正常者集団の標準状態とＡＤ患者集団の標準状態とのいずれに類似するかを表す差分類似度ｓＬ;x,ADc-NLc、ｖＬ;x,ADc-NLcを算出する。
【数１５】
0006017015.tif 000016
【数１６】
0006017015.tif 000017
【００４９】
上記差分類似度を導入することにより、ＡＤ患者集団の標準状態と正常者集団の標準状態との分離が可能となり、被験者（ｘ）の脳機能活動度をより高精度に評価できる。【００５０】
上記ステップＳ１１１までの処理の実行結果（演算結果）を画像化処理し、ＣＲＴ等の表示装置３１に表示する（ステップＳ１１２）。表示については後述する。【００５１】
ここで、この最適周波数帯域4〜20Hzの設定について以下説明する。一般的に脳電位測定で生じる体動や瞬き等によって生じる筋電などの不要信号（アーティファクト）の自動除去は不可能に近い。そこで前処理は振幅が100マイクロボルト以上になるセグメントを除去するだけで、あとは試行錯誤的に最適、つまりＡＤ患者と正常者の分離確率が最大になるような周波数帯域を実験で決定した。その結果を図４に示す。図４は、状態分離の有意性を示すt検定におけるｔ値を表す図であり、図４ＡはｓＮＡＴ;j,m、図４ＢはｖＮＡＴ;j,mの場合を示している。横軸は下限周波数を示し、縦軸は上限周波数を示す。２種のマーカｓＮＡＴ;j,mとｖＮＡＴ;j,mにとって大きいｔ値が共通に得られる周波数帯域は、4〜20Hzである。従って、本発明では、最適周波帯域を4〜20Hzに設定する。【００５２】
図３は、差分類似度に対する感度・特異度曲線図である。被験者（x）が、正常者集団のテンプレート状態とＡＤ患者集団のテンプレート状態とのいずれにより類似するかを表す差分類似度ｓＬ;x,ADc-NLcを横軸にとり、その関数として感度特異度曲線を描いている。図３から最高８５％の感度・特異度が得られることがわかる。即ち、ＡＤか無病かの誤判定確率が１５％ということになる。本発明では放射線被曝を全く伴わないので、繰り返し診断をして正常状態が得られれば、それだけ誤診の可能性は減少するので、高感度のＡＤ患者スクリーニングに利用できる。【００５３】
図６は、ＮＡＴ画像とＳＰＥＣＴ画像の表示例である。
図６ＡはｖＺ;j;x:ADを標準脳表面の対応位置に割り付けて表示しており、図中右上に表示されるバーは、グラデーションバーであり、白くなればなるほどｖＺスコアのプラスの値が大きくなり、黒くなればなるほどｖＺスコアのマイナスの値が大きくなる。このグラデーションバーと対応付けて標準脳表面の左側面図、上面図及び右側面図を見ることで、脳機能活動状態を視認できる。上述のとおりｖＺスコア＞０であれば過小変調状態（under-synchrony状態）、ｖＺスコア＜０であれば過大変調状態（over-synchrony状態）を示している。【００５４】
また、図６ＢはｓＺ;j;x:ADを標準脳表面の対応位置に割り付けて表示しており、図中右上に表示されるバーは、グラデーションバーであり、白くなればなるほどｓＺスコアのプラスの値が大きくなり、黒くなればなるほどｓＺスコアのマイナスの値が大きくなる。このグラデーションバーと対応付けて標準脳表面の左側面図、上面図及び右側面図を見ることで、脳機能活動状態を視認できる。上述のとおりｓＺスコア＞０であれば過大変動状態（hyperactivity状態）、ｓＺスコア＜０であれば過小変動状態（hypoactivity状態）を示している。【００５５】
図６Ａ及び図６Ｂを画面上で見比べることにより、脳機能活動状態を、オーバー同期で過大変動状態、オーバー同期で過小変動状態、アンダー同期で過大変動状態、アンダー同期で過小変動状態の４種類に分類できる。【００５６】
図６ＣはＳＰＥＣＴ画像であり、画像上黒い領域は脳血流量が低下している領域を示している。つまり、脳機能活動が過小活動で、過小同期状態にある部位は脳血流低下部位に一致している。【００５７】
次に、類似度グラフを画面上に表示する例を説明する。図５は、一組の差分類似度による類似度グラフである。横軸に差分類似度ｓＬ;x:ADc−NLcをとり、縦軸にｖＬ;x:ADc−NLcをとってある。これら差分類似度は、図２のステップＳ１１１により得られる。この座標を時計方向に45度回転した軸で見ると、新座標系の第１，第２象限の右上方向は、ＡＤの重篤度を表し、左下方向は正常域である。右下は脳機能活動の同期性異常と活動レベル異常の内の後者の影響が前者よりも大であり、左上方は前者の影響が後者より大であることを表している。矢印のついた点線は、あるＡＤ患者の治療経過を示している。このように類似度グラフ上に治療経過を併せて表示することで、正常状態からＡＤに向けて状態が進行する状態から、ＡＤの早期発見あるいは、治療効果の確認ができる。【００５８】
尚、図５において、ＭＣＩ−ＡＤもプロットしているが、これは軽度の認知障害を有しＡＤに進行する可能性のある患者集団（Mild Cognitive Impairment）を表している。
【実施例２】
【００５９】
（１）脳機能活動度評価システムのハードウェア構成
図７は、本発明の他の実施例である脳機能活動度評価システムのブロック図である。
図１と比較し、本実施例では、コンピュータ１０は各臨床現場に設置されたデータ転送端末装置として機能する。測定脳電位データは、コンピュータ１０の通信インタフェース１７から、インターネット等の通信回線４１を経由して演算装置としての計算センター４２に送信され、計算センター４２で測定脳電位データに対し各種の演算を実行し、演算結果又は解析結果を通信回線４１を経由して該当するコンピュータ１０に送信し、データ転送端末としてのコンピュータ１０は、受信した演算結果又は解析結果に対し画像処理を実行しＣＲＴ３１に表示又はプリンタ３２などの出力装置に印字出力させる点が異なる。計算センター４２は、図示しないサーバ装置で、プログラムと記録媒体を備え、サーバ装置等で脳電位、すなわち脳電位に関するデータを収集・蓄積し、特定の脳疾患に関するデータを蓄積すると共に、蓄積された脳電位に関するデータに各種の演算を実行し演算結果又は解析結果を蓄積する。このように脳機能活動度評価システムを構成することで、計算センターにて集中的にデータ演算と演算結果の管理を行い、各臨床現場に設置されたデータ転送端末であるコンピュータ１０は、測定脳電位データの送信と計算センター４２から受信される演算結果又は解析結果に対する画像処理のみを行えばよく、実施例１の効果に加え、負荷分散が図られる。【００６０】
図８は、本発明の脳機能活動度評価システムの処理を説明するフローチャートである。計算センター４２は、被験者（ｘ）、正常者集団、ＡＤ患者集団の計測脳電位時系列をコンピュータ１０から受信する（ステップＳ２０１ａ、Ｓ２０１ｂ、Ｓ２０１ｃ、Ｓ２０２）。計算センター４２は、サーバ装置からプログラムを読み出し、受信された脳電位時系列に対し演算を実行する（ステップＳ２０３〜Ｓ２１１）。実行する処理内容は図２のステップＳ１０３〜Ｓ１１１と同様であるため、ここでは説明を省略する。演算結果又は解析結果である算出値をデータ転送端末へ送信する（ステップＳ２１２）。【００６１】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００６２】
１  被験者の頭部
２  脳電位（脳磁）センサ
３  増幅器
４  マルチプレクサ
５    A/D変換器
１０  コンピュータ
１１  CPU
１３  ROM
１４  RAM
１５  入力インタフェース
１６  出力インタフェース
２４  入力装置
２５  外部記憶装置
３１  CRT
３２  プリンタ
４１  通信回線
４２  計算センター
【図１】
0006017015.tif 000018
【図２】
0006017015.tif 000019
【図３】
0006017015.tif 000020
【図４Ａ】
0006017015.tif 000021
【図４Ｂ】
0006017015.tif 000022
【図５】
0006017015.tif 000023
【図６Ａ】
0006017015.tif 000024
【図６Ｂ】
0006017015.tif 000025
【図６Ｃ】
0006017015.tif 000026
【図７】
0006017015.tif 000027
【図８】
0006017015.tif 000028